(57)【特許請求の範囲】
【請求項１】
傾斜板の水面下端側の周縁から、上向きに中心部に向かって傾斜した傾斜板を有し、上記中心部で上記傾斜板に開放口を設け、且つ、その下方にタンクが設けられた本体と、該本体の上記傾斜板上に上記中心部から上記傾斜板上を上記下端側の周縁に向かって放射状に立設した、波を収斂するための収斂提とを備え、上記中心部が水面上に出るように上記本体を水面に浮かせ、波の動きに伴って上記中心部から進入する水を利用し、浮遊渚を利用した水循環装置において、
上記開放口から下方に設けられたタンクに、装置外部に連通するノズル部を有し、そのノズル部に接続したフレキシブルホースとを備え、
上記収斂提に区切られた上記傾斜板の上面を遡上して上記開口から上記タンク内に進入した水の水位と本体外部の水の水位差によって上記タンク内の水を装置外部へ送水することを特徴とする浮遊渚を利用した水循環装置。
【請求項２】
傾斜板の水面下端側の周縁から、上向きに中心部に向かって傾斜した傾斜板を有し、上記中心部で上記傾斜板に開放口を設け、且つ、その下方にタンクが設けられた本体と、該本体の上記傾斜板上に上記中心部から上記傾斜板上を上記下端側の周縁に向かって放射状に立設した、波を収斂するための収斂提とを備え、上記中心部が水面上に出るように上記本体を水面に浮かせ、波の動きに伴って上記中心部から進入する水を利用し、浮遊渚を利用した水循環装置において、
上記開放口から下方に設けられたタンクに、装置外部に連通するノズル部を有し、そのノズル部に接続したフレキシブルホースとを備え、
上記タンクの側壁に穴を開けるとともに、上記傾斜板にも穴を開け、上記穴と穴を管で結び、上記管に上記傾斜板に開けた穴から、上記タンクの側壁に開けた穴の方向にのみ水が流れるようにした逆止弁を設け、
上記収斂提に区切られた上記傾斜板の上面を遡上して、上記傾斜板にあけた穴より上記管を通じて上記逆止弁の作用により、上記タンク内に進入し、上記フレキシブルホースなどを介して、装置外部へ送水されることを特徴とする浮遊渚を利用した水循環装置。
【請求項３】
傾斜板の水面下端側の周縁から、上向きに中心部に向かって傾斜した傾斜板を有し、上記中心部で上記傾斜板に開放口を設け、且つ、その下方にタンクが設けられた本体と、該本体の上記傾斜板上に上記中心部から上記傾斜板上を上記下端側の周縁に向かって放射状に立設した、波を収斂するための収斂提とを備え、上記中心部が水面上に出るように上記本体を水面に浮かせ、波の動きに伴って上記中心部から進入する水を利用し、浮遊渚を利用した水循環装置において、
上記開放口から下方に設けられたタンクに、装置外部に連通するノズル部を有し、そのノズル部に接続したフレキシブルホースとを備え、
上記タンクは上下に仕切り板で仕切られ、上記タンクの上部室、下部室にすると共に、上記仕切り板に、上記上部室から下部室にのみ水が流れるようにした逆止弁を設け、
上記収斂提に区切られた上記傾斜板の上面を遡上して、上記開口から上記タンクの上部室内に進入した水の水位と、本体外部の水の水位差によって、上記タンク上部室内の水を下部室内に送り、下部室内の水を装置外部へ送水することを特徴とする浮遊渚を利用した水循環装置。
【発明の詳細な説明】
【０００１】
【発明の属する技術分野】
本発明は、地球温暖化ならびに地球環境破壊、省エネルギー等エネルギー資源の枯渇化と地球環境問題等が、大きな課題となっている今日において、クリーンな自然エネルギーを利用して海洋やダム・湖沼等の底層部にある貧酸素水を取水して水面上に揚水し、放水することにより、上層水中での底層水の拡散、混合、或いは外部の新鮮な水と閉鎖性水域等に滞留する滞留水を循環、交換、拡散、ならびに混合し、貧酸素水の改善や、ひいては水質浄化効果を得ること等の分野に関するものである。
【０００２】
また、栄養塩のある海洋深層水を海面上に揚水し、上層水と底層水の循環、交換、拡散、或いは混合することにより、上層水に含まれる植物プランクトンを、深海より汲み上げた栄養塩で増殖し、光合成作用を起こさせて、大気中の二酸化炭素の吸収、二酸化炭素の海洋固定、ならびに魚貝類や海藻類等の生物生産の増加等の分野にも関するものである。
【０００３】
【従来の技術】
港湾等、外洋から隔離されて一部閉鎖されている閉鎖性水域にあっては、水の流れが緩慢で水面と水底の水が混ざり難いために、水底近傍に形成される層（以下、底層という）に酸素が行き届かず澱みやすい。また、外洋等においては水面近傍に形成される層（以下、上層という）にはプランクトンの成長に欠かせない栄養が乏しくなりがちである。このため、上記のような水域にあっては上層水と底層水を循環、交換、拡散、或いは混合することが望まれる。
【０００４】
しかし、底層水は冷水であるために、密度が大きく、せっかく汲み上げてもすぐにもとの位置に沈んでしまう。
そのため、従来では電気モーターや内燃機関等の駆動源を用いて、この深層水（底層水）や、表層水（上層水）を取水して水の循環、交換、拡散、或いは混合するのが一般的であった。
【０００５】
一方、自然エネルギーを利用したもので海水等の汲上手段としては、波力を利用して取水する装置で本発明と同一発明人が発明した「海水等の汲上装置」（特公平６−７２５９４号公報）が一般的によく知られている。図２０に示すように、この海水等の汲上装置１１１は、水面Ｓ上に浮上し、そのほぼ中心部に汲上管１１２が設けられ、この管が取水目的の水深まで下げられ、この水底ＳＧ近傍の水を波の上下動で浮体１１３ならびに汲上管１１２を上下動させることにより、逆止弁１１４、１１５、１１６、１１７の作用により、底層部にある底層水を、汲上管１１２から排出管１１８、１１９を通り、水面Ｓ上に汲み上げるものである。
【０００６】
海水等の汲上装置１１１は、波を利用して作動するものであるために、石油、石炭等の環境汚染等につながるエネルギー源を一切必要とせず、一旦設置した後は、半永久的に作動し続ける非常に優れた汲上装置である。
よって、深海等の栄養塩の多く含まれた深層水（底層水）を水面上に汲み上げる手段として海水等の汲上装置を用いた場合には、非常に安価な費用で、半永久的に深層水（底層水）を水面上に汲み上げ、水の循環、交換、表層水中での深層水の拡散、或いは混合し続けることが期待できる。
【０００７】
【発明が解決しようとする課題】
しかしながら、この海水等の汲上装置で汲み上げた水は、冷水でありこの水が水面上で表層水と十分な拡散、混合が行われる機構がないために、せっかく汲み上げた水がすぐにまた、もとの位置に沈降してしまう現象が起こり、水質浄化の処理量や、植物プランクトンの増殖量、光合成作用等における二酸化炭素の吸収量、生物生産の増加量等において装置の性能面や効率面で大きな課題があった。
【０００８】
また、海水等の汲上装置は底層水を直上の水面上に汲み上げるのみであって、外部の新鮮な水を、閉鎖性水域等の最奥部で貧酸素水が滞留するこの汚染水域に送水するようなポンプ機能は持ち合わせていないために、ポンプ装置としては片手落ちの部分があり課題があった。
また、この海水等の汲上装置の動力源は、波エネルギーのみであるために、波がないときには全く作動しない現象があるために、年間を通じた安定作動、安定効果といった面からも大きな課題があった。
【０００９】
そこで、本発明の目的は上記課題を解決し、簡易な構造で効率良く、人為的操作や化石エネルギー資源等を一切必要とせず、半永久的に深層水（底層水）を汲み上げ、水面上の表層水との循環、拡散、混合し続けることや、外部の新鮮な水と閉鎖性水域等の滞留水を循環、交換、拡散或いは混合することで、地球温暖化防止、ならびに大気中の二酸化炭素濃度の削減、海域の肥沃化、水産資源の増養殖、生物生産の増加、水質の浄化等の面で十分にその効果を発揮することができる浮遊渚を利用した水循環装置を提供することにある。
【００２２】
【課題を解決するための手段】
上記目的を達成するために本発明は、傾斜板の水面下端側の周縁から、上向きに中心部に向かって傾斜した傾斜板を有し、上記中心部で上記傾斜板に開放口を設け、且つ、その下方にタンクが設けられた本体と、該本体の上記傾斜板上に上記中心部から上記傾斜板上を上記下端側の周縁に向かって放射状に立設した、波を収斂するための収斂提とを備え、上記中心部が水面上に出るように上記本体を水面に浮かせ、波の動きに伴って上記中心部から進入する水を利用し、浮遊渚を利用した水循環装置において、
上記開放口から下方に設けられたタンクに、装置外部に連通するノズル部を有し、そのノズル部に接続したフレキシブルホースとを備え、
上記収斂提に区切られた上記傾斜板の上面を遡上して上記開口から上記タンク内に進入した水の水位と本体外部の水の水位差によって上記タンク内の水を装置外部へ送水することを特徴とする浮遊渚を利用して水循環させるとよい。
【００２３】
そして、傾斜板の水面下端側の周縁から、上向きに中心部に向かって傾斜した傾斜板を有し、上記中心部で上記傾斜板に開放口を設け、且つ、その下方にタンクが設けられた本体と、該本体の上記傾斜板上に上記中心部から上記傾斜板上を上記下端側の周縁に向かって放射状に立設した、波を収斂するための収斂提とを備え、上記中心部が水面上に出るように上記本体を水面に浮かせ、波の動きに伴って上記中心部から進入する水を利用し、浮遊渚を利用した水循環装置において、
上記開放口から下方に設けられたタンクに、装置外部に連通するノズル部を有し、そのノズル部に接続したフレキシブルホースとを備え、
上記タンクの側壁に穴を開けるとともに、上記傾斜板にも穴を開け、上記穴と穴を管で結び、上記管に上記傾斜板に開けた穴から、上記タンクの側壁に開けた穴の方向にのみ水が流れるようにした逆止弁を設け、
上記収斂提に区切られた上記傾斜板の上面を遡上して、上記傾斜板にあけた穴より上記管を通じて上記逆止弁の作用により、上記タンク内に進入し、上記フレキシブルホースなどを介して、装置外部へ送水されることを特徴とする浮遊渚を利用して水循環させるとよい。
【００２４】
そして、傾斜板の水面下端側の周縁から、上向きに中心部に向かって傾斜した傾斜板を有し、上記中心部で上記傾斜板に開放口を設け、且つ、その下方にタンクが設けられた本体と、該本体の上記傾斜板上に上記中心部から上記傾斜板上を上記下端側の周縁に向かって放射状に立設した、波を収斂するための収斂提とを備え、上記中心部が水面上に出るように上記本体を水面に浮かせ、波の動きに伴って上記中心部から進入する水を利用し、浮遊渚を利用した水循環装置において、
上記開放口から下方に設けられたタンクに、装置外部に連通するノズル部を有し、そのノズル部に接続したフレキシブルホースとを備え、
上記タンクは上下に仕切り板で仕切られ、上記タンクの上部室、下部室にすると共に、上記仕切り板に、上記上部室から下部室にのみ水が流れるようにした逆止弁を設け、
上記収斂提に区切られた上記傾斜板の上面を遡上して、上記開口から上記タンクの上部室内に進入した水の水位と、本体外部の水の水位差によって、上記タンク上部室内の水を下部室内に送り、下部室内の水を装置外部へ送水することを特徴とする浮遊渚を利用して水循環させるとよい。
【００２５】
【発明の実施の形態】
本発明の好適実施の形態を添付図面に基づいて詳述する。
図１は本発明の装置１Ａの縦断面図である。この図の構成を以下に説明する。本発明の装置１Ａは、装置本体１を水底ＳＧより係留装置２により係留され水面Ｓ上に浮遊状態で設置されている。本装置のほぼ中心部は前記水面Ｓよりやや上方に突出し、ここを頂点とし、これより末下りに傾斜した傾斜板３が前記中心部より半径方向左右両側に延び、水中に没した後、その末端には溝４が設けられている。
【００２６】
装置のほぼ中心部には、タンク５がほぼ鉛直線上に設けられ、前記した傾斜板３の頂点付近に開放口３ａを設け、これにタンク５の上部に設けたノズル６を形成し、その上にフランジ部６ａと蓋板７が設けられている。タンク５の上部に設けたノズル６とフランジ部６ａと蓋板７廻りの詳述は後記するものとする。
【００２７】
タンク５の下方にはノズル８が設けられ、これにフレキシブルホース９が、フランジ等を介して取り付けられている。
本発明の装置１Ａ内に原水取水のための動力装置を持たないで、外部の動力により、フレキシブルホース９に原水を送水してくる場合には、後記するタンク５内を上下に仕切る仕切り板は、設ける必要がないものとする。したがって、フレキシブルホース９より送られてきた原水は、タンク５内を上方に進み、タンク５の上部で、傾斜板３の開放口３ａの中に設けたノズル６を通り、蓋板７の中央部の開口穴７ａの中に設けた放水装置の放水口７ｂよりあふれ出ることができるものとする。
【００２８】
タンク５の外周で前記傾斜板３の下方には、浮力室１０が設けられ、その浮力室１０の壁１１がタンク５の外面や傾斜板３の下面にしっかりと固着され、その前記したタンク５の継ぎ目や、前記傾斜板３の継ぎ目等より、浮力室１０内には外部の水が入らないようになっているものとする。ただし、浮力室１０内には浮力の調整のためのバラスト水が出入りするノズルや、通気配管ならびにそのポンプ装置等は装置内に設けられているものとする。
【００２９】
前記した傾斜板３の末端に設けられた溝４は、傾斜板３側の側壁１２と、装置の外周側の側壁１３と、底板１４とから構成される。溝４部は装置の下方に位置し、波浪等による動揺性等の面で装置全体のおもりとなることから、装置全体の合成重心の位置を低くする役目を果たすと同時に、装置の安定性を保つことができるものとする。
詳述は後記するが、設計条件によっては溝４の側壁１２、１３、底板１４等にはパンチングメタル状の無数の小さな穴を開ける場合もあるものとする。
【００３０】
側壁１３の上面は反り返るような形状にするか、或いは形鋼等を固着して側壁１３は波浪等の影響で変形したり、破壊されないように、補強が十分になされているものとする。側壁１３の上部には手摺りポスト１５が設けられ、これにバランス浮体１６が取付台１７等を介して、バンドやロープ等でしっかりと手摺りポスト１５に締め付けられているものとする。
設計条件によっては、バランス浮体１６は手摺りポスト１５を介さないで、側壁１３に取付台１７等を介して直接または別方式で、間接的に取付ける等しても差し支えないものとする。
【００３１】
バランス浮体１６は図のように浮体の約半分程度を水面Ｓ上に出し、残りの半分は水面下に没する程度に設定され、設置水域に大波等が発生しても装置全体が転倒しないようになっているものとする。
詳述は後記するが、前記傾斜板３の頂点部でほぼ中心部に設けられた傾斜板３の開放口３ａの外部より、やや水面Ｓ上を装置の外方向両側に延びる収斂堤１８の内部にも、浮力室１９が設けられているものとする。
【００３２】
したがって、本発明の装置１Ａは水面Ｓ上に設けられたバランス浮体１６と、水中で装置の下方に設けた溝４部のおもりと、装置の中心部近くに設けられ、比較的水面近くに位置する浮力室１０や、収斂堤１８内でほぼ水面上に位置する浮力室１９の関係等から、浮心と重心の位置を算出し、装置全体が転倒しないように十分な設計がなされているものとする。
【００３３】
また、使用目的、用途等の条件によっては、溝４の内部にマイナスイオン等を発生させる天然石やセラミックス等を入れて、尚一層の水質改善等に役立てることもできるものとする。
また、溝４の中や傾斜板３の端部近くに、人工海藻等を入れて処理目的の送水された原水が傾斜板３の上面を降下し、そこにある上層水と原水の水の循環、交換、拡散、或いは混合したときに、人工海藻の揺らぎ現象や、その抵抗ならびに攪拌作用等で、すぐに装置外部に流出しにくい環境が作られているものとする。したがって外部からの波浪等の進入現象や、海流等の流入現象があっても、この水はある程度装置内に滞留し、前記傾斜板３の上面を行ったり来たりするものとする。
つぎに、作用を述べる。
【００３４】
装置の平面的な詳述は、後記するものとして、装置外の動力により、フレキシブルホース９等よりノズル８、タンク５を介して、タンク５の上部で、傾斜板３の開放口３ａの中に設けたノズル６を通り、蓋板７の開口穴７ａの中に設けられた放水装置の放水口７ｂより、処理目的の原水が放水されたとする。そうすると、この原水は蓋板７の上面より傾斜板３の上面に飛沫化した状態で落下し、傾斜板３の上面を末下りに装置の外部に流出しようとする。
【００３５】
このとき、水面Ｓ上では装置の外部よりバランス浮体１６の隙間を通過した波が前記収斂堤１８にガイドされながら、絞り上げられるような収斂作用の現象で波高を大きくしながら、前記傾斜板３の上面をかけ上がる。この波がその上方より来る処理目的の原水を打ち砕く。装置外部より波浪現象等により進入して来た上層水と、フレキシブルホース９等より送られて来た原水は、水の循環、拡散、或いは混合されながら傾斜板３の上面、すなわち浮遊渚をかけ上がり、そして引いてはまたかけ上がる。この繰り返しにより原水は波に打ち砕かれ、泡立ち、空気に触れ、酸素供給を受けながら後続する原水に送り出され、やがて装置外部へと離れていく。まるで人の手が洗濯板の上で洗濯をしている現象を、自然エネルギーである波が行ってくれるのである。
【００３６】
このとき、傾斜板３の上面には、本当は砂や小石が好ましいがこれらはすぐに装置の外部へ流失してしまうために、実際には人工芝や、ゴルフ場等の芝生の上に敷きつめるようなプラスチック成形品、人工海藻等を敷きつめて、送られて来た原水が少しでも長時間傾斜板３の上面や装置内部に留まるように配慮して、原水に少しでも多くの酸素供給や水の循環、拡散、或いは混合作用等が受けられるようにする。  そうすることにより、水の浄化効果や植物プランクトンの増殖、ならびに魚貝類や海藻類等生物生産の増大、大気中の二酸化炭素等の吸収効果が大となる。
【００３７】
本発明の装置は、水の循環や拡散、或いは混合には波浪エネルギーを利用している関係上、多少なりとも波のある水域が必要になるが、この波浪が台風や大波時等には、装置全体を転倒させたり、装置を破壊しかねない。このとき、図の構成の説明のところで説明したとおり、装置全体の合成重心の位置をでき得る限り下方に位置させて、常に浮心が重心の上方にあるように設定すれば、装置の転倒は避けられる。
【００３８】
装置外周に位置させた溝４の側壁１２、１３、底板１４等にパンチングメタル状の無数の小さな穴をあけることにより、装置の外部から進入してしてくる波浪エネルギーが、この無数の小さな穴を通過することにより、波浪現象によるほぼ規則的な楕円形の軌跡を描く水粒子の運動を破壊し、横波現象等の波圧力や装置の下方向からの揚圧力を低下させること、すなわち、消波効果等があることから、装置全体の安全性、安定性を計ることができる。
【００３９】
また、波による水粒子の運動や、海流等の流入作用で、水粒子がこのパンチングメタル状の無数の小さな穴を通過することによって水の循環、拡散、或いは混合作用等の効果も得られる。
【００４０】
つぎに、溝４の中にマイナスイオン等を発生させる天然石やセラミックス等を入れることにより、イオン効果や、水質浄化効果のみならず、その石の重量が溝の底板１４に作用することから、装置全体の合成重心の位置を低くすることができて、前記した浮心と重心の関係を尚一層強固にし、装置全体の安全性、安定性を計ることができる。
つぎの説明は図２により行う。
【００４１】
図２は本発明の装置１Ａの図１におけるＡ−Ａ矢視平面図である。この図の構成を以下に説明する。ただし、図１の説明の部分で説明を行いこの図の説明と重複する部分の説明においてはその説明を省略するものとする。
【００４２】
この図において、本発明の装置１Ａにおける装置本体１の平面上の外形はほぼ均等な多角形をなすが、設計次第によっては、円形等にしても差し支えないものとする。
この図の装置のほぼ中心部にタンク５と、傾斜板３の開放口３ａとタンク５の上部に設けたノズル６、蓋板７およびその蓋板７に設けた開口穴７ａ、放水口７ｂ等を配置し、これより半径方向にほぼ均等な角度で、均等な長さの収斂堤１８が延びる。また、そのそれぞれの収斂堤１８で仕切られた中に前記した傾斜板３が挟まれる。
【００４３】
この収斂堤１８ならびに、傾斜板３の端部に溝４が設けられて、この溝４がリング状の多角形に構成され装置の外形をなす。そしてこの溝４の側壁１３の外部には、ある程度の一定の隙間を設けながら、バランス浮体１６が装置の全外周にほぼ均等に配置されるものとする。
つぎに、この図の作用を述べる。
【００４４】
本装置は、図１の説明の部分でも説明を行ったとおり、水面Ｓ上に浮んだ浮遊物体であると同時に、多少なりとも波のある水域に設置されていることから、外部より本装置内に波が進入して来れば本図で見る限り、装置の外形はほぼ均等な円形をなしていることから、波の進入方向はどちらから来てもほぼ同様の作動ができ、ほぼ同様の効果が得られることが予測できる。
【００４５】
したがって、たとえば平面図上の左方向から本装置に波が進入してきたとすると、先ず、バランス浮体１６に波があたる。バランス浮体１６は前記したとおり、ある程度の一定の隙間を保ちながら配置されている関係上、この隙間より波が装置内に入る。この波が溝４を通過し、更に両側が収斂堤１８で仕切られた傾斜板３の上面、すなわち浮遊渚に入り、装置の中心部に進むに従い浮遊渚は収斂堤１８によって収束されているために、波が絞り上げられるような収斂作用の現象で収斂されて波高が大きくなる。
【００４６】
このとき、装置のほぼ中心部に設けられ、タンク５の上部で、傾斜板３の開放口３ａの中に設けたノズル６を通り、蓋板７に設けた開口穴７ａの中に設けられた放水装置の放水口７ｂから原水が放水され、傾斜板３を末下りに下ってくる。この原水を前記した収斂堤１８によって収斂され、波高の大きくなった波が打ち返し、これを幾度となく繰り返すことによって水の循環、拡散、或いは混合し、酸素吸収効果等を得るものである。
【００４７】
大海にポッカリ浮んだ小島のように、大海全体としてはある程度一定の方向に波が進行している場合でも、小島の中に立って小島そのものの波打ち際を見れば全周囲からその小島に波が押し寄せてくる。たとえば、大海の波の進行方向の全く逆方向の下手側においても、波は多少、小波にはなってはいるものの、その側からもその小島に廻り波、返し波のような形でその海岸線に打ち寄せてくる。
【００４８】
この現象を本発明装置に取り入れ、どの方向から入射してくる波でも、効率良く収斂堤１８で区切られた傾斜板３の上面、すなわち浮遊渚に有効に取り入れ、次々と送られてくる原水を効率良く処理し、やがて後続する原水に押し出されて、処理水は装置外部へ送り出される。
【００４９】
つぎに、他の実施の形態を添付図面に基づいて述べる。
【００５０】
図３に示す本発明の装置１Ｂは、前記した図１、図２のものに原水取水用動力源を本装置内に組み込んだ形式のものである。
本図の構成を以下に説明するが、既に説明を行った図１、図２の説明と重複する部分の説明においてはその説明を省略するものとする。
【００５１】
先ず、装置のほぼ中心部に設けたタンク５の中ほどに、仕切り板２０を設け、これより下部を下部室２１、上部を上部室２２とする。
【００５２】
傾斜板３の端部に設けた溝４の中には、波力ポンプ２３が設けられている。波力ポンプ２３の本体は、波の上下動を敏感に応答するフロート２４と、この応答を素早くキャッチするために、フロート２４に直結したシリンダ２５と、このシリンダ２５に相応し、これと相対的往復動を生じさせるためのシリンダの内部に設けたピストン２６と、ピストン２６を支持し、ピストンとシリンダの相対的往復動の際生じる、すなわちポンプ作用によりシリンダ内の原水が出入りする管、中空ピストン管２７で構成される。
【００５３】
つぎに、波力ポンプ２３の配管系について説明をする。管の一方は前記した中空ピストン管２７に接続し、他の一方は前記タンク５の下部室２１に接続した管２８に、タンク５の下部室２１から波力ポンプ２３への片方向にのみ原水を流すようにした逆止弁２９と、管２８から分岐し、且つ、波力ポンプ２３から押し出された水が、前記タンク５の上部室２２に送られるように逆止弁２９の手前に接続した管３０に、この原水が常にその一定方向にのみ流れるようにした逆止弁３１が、図のように接続されている。
【００５４】
中空ピストン管２７は、溝４の底板１４等にしっかりと固着されるか、或いは中空ピストン管２７の中間部にフレキシブルホース等を用いて柔軟性を持たせる等して、波力ポンプ２３のフロート２４ならびに、シリンダ２５の作動に波圧等による衝撃力的な支障がきたさないものとする。また、管２８、逆止弁２９、管３０、逆止弁３１等の配管系は、装置本体にコンパクトに組み込まれ、大波時等の装置の動揺にも十分に耐えられるように、装置本体にサポート等で、しっかりと固着されているものとする。
【００５５】
したがって、波力ポンプ２３の作動、すなわち、シリンダ２５の往復動で、シリンダ２５内のポンプ室が圧縮、膨張（吸引）作用を引き起こすと、常にタンク５の下部室２１内にある原水が逆止弁２９、３１の作用により、タンク５の上部室２２内に送られる仕組みになっているものとする。
【００５６】
水面Ｓ上よりやや上部に突き出した収斂堤１８の上部には、架台３２が設けられると同時に、装置のほぼ中心部であるタンク５の上方に風車３３が設けられている。風車の動力伝達機構である駆動軸３４は、装置のほぼ中心部を風車の取付け台３５の中まで下りてきて、その端部にプーリー３６が固着されているものとする。
【００５７】
一方、タンク５の中ほどに設けた、仕切り板２０に穴があけられ、この穴にポンプ３７が差し込まれる。ポンプ３７の下端には逆止弁３８、サクションストレーナー３９が設けられ、タンク５の下部室２１の底板等にサポート等を介して、しっかりと固着されているものとする。また、ポンプ３７は仕切り板２０等にもしっかりと固着されると同時に、ポンプ３７が作動すれば、タンク５の下部室２１内の原水が上部室２２内へ送られ、更にその上部のタンク５の上部で、傾斜板３の開放口３ａの中に設けたノズル６を通り、蓋板７の開口穴７ａの中に設けられた放水装置６２Ａの放水口７ｂより放水されるものとする。
【００５８】
ポンプ３７の駆動軸４０は、タンク５の上部室２２を上方に延び、傾斜板３を貫通して収斂堤１８内部の浮力室１９を貫通し、その上の架台３２を通過して、風車の取付け台３５内に入り、ここで軸の端部にプーリー４１が取付けられる。
前記したプーリー３６とプーリー４１は互に向き合い、同じ高さに設けられ、Ｖベルト４２等の伝達機構を介して、風車３３より伝達される回転が、駆動軸３４より駆動軸４０に伝えられるものとする。したがってこのとき、発電装置等を介さないで直接動力伝達を行うものとする。
【００５９】
このとき、駆動軸４０の外側には保護管４３が設けられ、台風や大波時等の波圧や波による水の飛沫水が、駆動軸４０の回転に、支障をきたさないようになっているものとする。
また、駆動軸４０と保護管４３は、収斂堤１８の内部に設けた浮力室１９を通過するために、この部分の水漏れ対策等は十分に考慮し、浮力室１９内に水が入らないような対策がとられているものとする。
【００６０】
また、タンク５の中ほどに設けた仕切り板２０に、前記した穴とは別に穴４４があけられ、この穴の上部にポンプ４５が設けられると共に、このポンプ４５の吸込管４６がこの穴４４に差し込まれ、その下端には逆止弁４７、サクションストレーナー４８が順次接続され、タンク５の下部室２１の底板にサポート等を介してしっかりと固着されている。ポンプ４５も仕切り板２０等にしっかりと締め付けられると同時に、ポンプ４５が作動すれば、タンク５の下部室２１内の原水が上部室２２に送られ、更にその上部のタンク５の上部で、傾斜板３の開放口３ａの中に設けたノズル６を通り、蓋板７の開口穴７ａの中に設けられた放水装置６２Ａの放水口７ｂより放水されるものとする。
【００６１】
ポンプ４５の駆動軸４９はタンク５の上部室２２を上方に進み、傾斜板３を貫通して、収斂堤１８内部の浮力室１９を貫通し、その上の架台３２の上方まで延ばし、ここでポンプ４５の駆動モーター５０に接続する。
【００６２】
このとき、駆動軸４９の外側には保護管５１が設けられ、台風や大波時等の波圧や波による水の飛沫水が、駆動軸４９の回転に、支障をきたさないようになっているものとする。以下保護管５１における説明は前記した保護管４３の説明とほぼ同様であり、その説明の繰り返しはしない。
【００６３】
一方、収斂堤１８の上部に設けた架台３２の上面には、ソーラーパネル５２が設けられ、このパネルにケーブル５３の片方が、他の片方はポンプ４５の駆動モーター５０に接続されて、ソーラーパネル５２に発生した電力で駆動モーター５０を廻して、ポンプ４５が駆動され作動するものとする。ケーブル５３の途中には漏電防止装置や、自動制御装置等種々の回路や、安全装置等が組み込まれているものとする。
つぎに、作用を述べる。
【００６４】
水面Ｓ上に波が発生し、波力ポンプ２３が作動を始めたとすると、タンク５の下部室２１内の原水が管２８を通り、逆止弁２９、３１の作用により管３０を通り、上部室２２に送られる。更に、この上方のタンク５の上部で、傾斜板３の開放口３ａの中に設けたノズル６を通り、蓋板７の開口穴７ａの中に設けられた放水装置６２Ａの放水口７ｂより放水される。
【００６５】
このとき、タンク５の下部室２１内では上記原水が上部室２２を通じて放水されたために負圧状態となり、この原水を補うために、タンク５に設けたノズル８、フレキシブルホース９等を介して、取水目的の場所から使用目的の水、すなわち原水を取水する。この繰り返しにより原水は、蓋板７の開口穴７ａの中に設けられた放水装置６２Ａの放水口７ｂより放水される。放水された原水のその後の作用の説明は、図１、図２の説明の部分で説明を行ったものとほぼ同様であり、その説明の繰り返しはしない。
【００６６】
また、水面Ｓのやや上方に風が吹き、風車３３が回転を始めたとすると、前記した駆動軸３４、プーリー３６、Ｖベルト４２、プーリー４１、駆動軸４０等でこれに連結したポンプ３７が駆動され作動を始める。したがって、タンク５の下部室２１内の原水が、サクションストレーナー３９より逆止弁３８を通り、ポンプ３７を介して上部室２２内を上に昇り、更にその上部のタンク５の上部で、傾斜板３の開放口３ａの中に設けたノズル６を通り、蓋板７の開口穴７ａの中に設けられた放水装置６２Ａの放水口７ｂより放水される。
以下、下部室２１への原水取水、上部室２２より蓋板７の開口穴７ａの中に設けられた放水装置６２Ａの放水口７ｂから、放水された原水のその後の作用の説明は、前記したものとほぼ同様でありその説明の繰り返しはしない。
【００６７】
つぎに、ソーラーパネル５２よりポンプ４５を作動させて送水するシステムにおいても、前記した風車３３を利用したものや、波力ポンプ２３を利用したものと比べ、その動力源のとり方が異なるだけで、他はこれらとほぼ同様であるためにその説明の繰り返しはしない。
つぎの説明は図４により行う。
【００６８】
図４は本発明の装置１Ｂにおける図３のＢ−Ｂ矢視平面図である。この図の構成を以下に説明する。ただし、これまでの図１、図２、図３の説明の部分で説明を行ったものと重複する部分の説明においては省略するものとする。
【００６９】
この図と前記した図２の説明と相違する部分は、溝４の中で前記した収斂堤１８のほぼ延長線上に波力ポンプ２３が置かれていることと、装置のほぼ中心部にポンプの駆動軸４０とその保護管４３が、また、これとほぼ勝手反対方向に別形式ではあるが、これと同様にポンプの駆動軸４９とその保護管５１が配置されていることである。
つぎに、この図の作用を述べる。
【００７０】
前記したとおりこれまでの図の説明と重複する部分の説明は省略し、相違する部分だけの説明を行う。
水面Ｓ上に発生した波が本発明の装置１Ｂに到来し、バランス浮体１６の隙間より波が入射し、波力ポンプ２３に当たる。このとき波力ポンプ２３は、平面的にほぼ円形をなしている関係上、波力ポンプ２３に当った入射波はその入射線の中心線より波力ポンプ２３の両側に分割され、収斂堤１８で区切られた傾斜板３の上面、すなわち浮遊渚のそれぞれの部屋に入射する。
【００７１】
しかるに、波力ポンプ２３はポンプ作用を行いながら浮遊渚に波が進入するときの案内役をすることになる。したがって最も効率良く案内役をするためには、傾斜板３の上面、すなわち浮遊渚に入射する波の邪魔にならないように、収斂堤１８の延長線上に波力ポンプ２３を設けて、入射波を両側に分割しながらそのまま浮遊渚に受け入れることが効率のよい作動となる。
【００７２】
ポンプの駆動軸４０とその保護管４３ならびに、ポンプの駆動軸４９とその保護管５１には、傾斜板３の上面、すなわち浮遊渚で収斂され、強力な衝撃力を持つ大波等がこれに当るために、その安全対策は十分に考慮しなくてはならない。
つぎの説明は図５により行う。
【００７３】
図５は本発明の装置１Ａ、１Ｂにおける図２、図４のＣ−Ｃ矢視縦断面図である。この図の構成を以下に説明する。ただし、これまでの既に図の説明のところで説明を行ったものと、重複する部分の説明に関しては、その説明の繰り返しはしない。
【００７４】
その半分近くを水面Ｓ上面に突き出し、残り下半分あまりを水中に没した収斂堤１８は、収斂堤の側壁５４ａ、５４ｂと山形をなした天板５５と、底板５６とからなる。これらの側壁５４ａ、５４ｂ、天板５５、底板５６は箱状に一体化され、その内部には補強骨等が設けられて、波圧に耐えられるようにすると同時に、この内部が空洞化され、浮力室１９としての役目を果たしているものとする。
つぎに、この図の作用を述べる。
【００７５】
傾斜板３と隣り合わせの傾斜板３の仕切り目に設けられた収斂堤１８と、隣り合わせの収斂堤１８の間に入射した波は、収斂堤１８の作用により収斂する。収斂堤１８は、波を収斂させるための案内板としての作用上の役目を果たすと共に、その内部が浮力室１９となっているために、装置を水面Ｓ上に浮上させ浮力のバランスをとっている。
つぎの説明は図６、図７により行う。
【００７６】
図６は本発明の装置１Ｂ（図４）における装置の中心部付近の拡大図である。図７は同じく本発明の装置１Ｂ（図３）における装置の中心部付近の拡大図であって、且つ、図６のＤ−Ｄ矢視縦断面図である。この図６、図７の構成を以下に説明する。ただし、これまでの図の説明の部分で説明を行った部分と重複する部分の説明においてはこれまでと同様に省略するものとする。
【００７７】
詳述は後記するが図６、図７の中心部で且つ、そのタンク５の上部で、傾斜板３の開放口３ａの中に設けたノズル６の中には自在継手６１が設けられ、この自在継手に支持され、蓋板７の開口穴７ａの中に設けられた放水装置６２Ａは、ほぼ鉛直に起立している。放水装置６２Ａの上部にはその放水口７ｂがほぼ水平に設けられ、これより原水が放水されるものとする。
つぎに、この図の作用を以下に説明する。
【００７８】
詳述は後記するが本発明の装置１Ａ、１Ｂの装置全体が波浪、風圧、海流等で傾いた場合においても放水装置６２Ａおよび放水口７ｂは自在継手６１と、放水装置６２Ａの自重やおもりの作用によりほぼ鉛直に放水できるようになっているものである。
つぎの説明は図８、図９により説明を行う。
【００７９】
図８は図２、図４、図６のほぼ中心部に記載したタンク５の上部で、傾斜板３の開放口３ａの中に設けたノズル６の付近における拡大平面図である。図９は図８のＥ−Ｅ矢視縦断面図である。この図の構成を以下に説明する。ただし、これまでの図の説明の部分で説明を行ったものと重複する部分の説明においては省略するものとする。
【００８０】
本発明の装置１Ａ、１Ｂにおけるほぼ中心部の傾斜板３の頂点部で開放口３ａの中に、タンク５の上部に設けたノズル６部に自在継手６１を介して放水装置６２Ａが設けられている。タンク５の上部に設けたノズル６の上面にはフランジ６ａが設けられ、その上に蓋板７が載せられボルト等で締め付けられているものとする。また、ノズル６は傾斜板３の開放口３ａの折り返し部と、ボルト等で締め付けるか、或いは上記フランジ６ａ部を、収斂堤１８に設けた締め付け金具等と、ボルト等で締め付けられるものとする。蓋板７のほぼ中央部には開口穴７ａが設けられ、これに放水装置６２Ａが通されている。
【００８１】
自在継手６１（ユニバーサル機構）は、具体的には、放水装置６２Ａの外周を環状に囲むリング体６３の径方向内方と外方とにそれぞれ平面視十字状に交叉するように外軸６４を突き出させると共に、内軸６５の軸受穴６６が設けられたリング体６３を形成する。内軸６５は放水装置６２Ａより突き出させた軸であり、これと前記した軸受穴６６は回転可能となっている。
【００８２】
リング体６３に突き出した外軸６４は、前記蓋板７の下面に前記リング体６３を挟むような形でサドル６７が固着されている。前記外軸６４はサドル６７にあけられた軸受穴６８に通され回転可能になっている。
【００８３】
放水装置６２Ａは平面上で十字状もしくは、その中心部より数枚の仕切り板６９が、ほぼ均等な角度でほぼ均等な長さに半径方向に延び、平面円周上３６０゜がこの数枚の仕切り板６９でほぼ均等に区切られるものとする。
縦断面において前記した仕切り板６９の中間よりやや上方に、前記した内軸６５が前後両側に設けられ、これが前記した軸受穴６６に通され回転可能になっている。
【００８４】
仕切り板６９は蓋板７に設けた開口穴７ａを貫通し、その上方にリング７０を固着し、更にその上方まで延びて止まる。リング７０は数枚の仕切り板６９の外周を束ねるような形で、それぞれの仕切り板６９の外周とリング７０の内面が固着されているものとする。リング７０の外面と蓋板７の上面には、フレキシブルカバー７１が設けられ、タンク５の上部で、傾斜板３の開放口３ａの中に設けたノズル６内を更に送水されて来た原水は、このフレキシブルカバー７１の継ぎ目や、リング７０、蓋板７等の接続部から水が漏れないようになっているものとする。
【００８５】
したがって、送水されて来た原水がタンク５ならびにタンク５の上部で、傾斜板３の開放口３ａの中に設けたノズル６を上方に進み、リング７０の上面より溢れ出るこの口の部分を放水口７ｂとすると共に、この放水口７ｂの上面はほぼ水平に保たれるものとする。この放水口７ｂは前記した仕切り板６９で、平面円周上をほぼ均等な角度で数分割していることから、この各々の区切られた放水口７ｂから放水された原水は、他の区切られた隣の部屋の方より溢れ出る事ができないように、前記した仕切り板６９の上面は、リング７０の上面よりもやや上方まで延びているものとする。
【００８６】
仕切り板６９の下端には軸７２、おもり７３が図のように順次固着されているものとする。
したがって、放水装置６２Ａの合成重心の位置は、自在継手６１の支持点すなわち、外軸６４ならびに内軸６５の中心線の高さよりも、かなり低位置に設定されているものとする。
つぎに、作用を述べる。
【００８７】
台風や大波時等には横波による波圧や、揚圧力、その他風圧力等が風車や本装置に作用するなどして、装置が大きく傾く事が予測される。このとき、放水装置６２Ａの合成重心の位置は、自在継手で支持される支持点の位置よりもかなり低位置にあるために、放水装置６２Ａはほぼ鉛直性を保つことができる。
【００８８】
しかるに、送水されて来た原水がタンク５の上部で傾斜板３の開放口３ａの中に設けたノズル６を上方に進み放水口７ｂより放水される場合において、このとき放水口７ｂの上面はほぼ水平に保たれていることと、仕切り板６９により、ほぼ均等な角度で、数分割されているために、放水口７ｂより溢れ出る原水の量は、平面上の全円周にほぼ均等に配水される。この効果は装置全体の平面上における全周囲の収斂堤１８で区切られた傾斜板３の上面、すなわち浮遊渚にほぼ均等に配水される。したがって、浮遊渚への入射波の種々の条件等により多少の違いはあるものの、本装置の全周囲において水の拡散、混合が公平に行われることとなり、装置全体としては非常に効率の良い装置となる。
つぎの説明は図１０により行う。
【００８９】
図１０は図９における放水装置６２Ａとは別形式の放水装置６２Ｂを示す装置の縦断面図である。本図の構成を以下に説明する。ただし、これまでの図の説明の部分で説明を行ったものと重複する部分の説明は省略するものとする。
【００９０】
本発明の放水装置６２Ｂの仕切り板６９は、タンク５の上部で、傾斜板３の開放口３ａの中に設けたノズル６の中に設けられると同時に、前記ノズル６の上部に設けた蓋板７のほぼ中心部にあけた開口穴７ａを貫通し、その上方にリング７０が設けられ、更にそのやや上方まで延びて止まっている。仕切り板６９の上端には吊り装置７４が設けられ、しかもこれがビーム７５等に取付けられている。吊り装置７４に関しては、ごく一般的なチェーンや、ワイヤー、ロープ等を用いて差し支えないために、その詳述は行わないものとする。
【００９１】
リング７０およびフレキシブルカバー７１、仕切り板６９、放水口７ｂ、軸７２、おもり７３等の詳述は、これまでの図８、図９説明の部分で説明を行ったものとほぼ同様であるためにその説明の繰り返しはしない。
つぎに、この図の作用を以下に説明する。
【００９２】
本発明の装置１Ａ、１Ｂが台風や大波等の影響により、装置が大きく傾いた場合でも、放水装置６２Ｂは上方のビーム７５より吊り装置７４を介して吊り下げられているために、ほぼ鉛直性を保つことができる。したがって、以後の説明はこれまでの説明の部分で行った説明とほぼ同様であるために、その説明の繰り返しはしない。
つぎの説明は図１１、図１２により行う。
【００９３】
図１１は放水口を傾斜板３に設けた場合の本発明の装置１Ａ、或いは１Ｂにおける装置の一例を示す平面図である。図１２は図１１におけるＦ−Ｆ矢視縦断面図であり、本発明の装置１Ａの形式に用いた場合の説明図である。
この両図の構成を以下に説明する。ただしこれまでの説明の部分で説明を行った部分と重複する部分の説明に関しては、その説明を省略するものとする。
【００９４】
装置のほぼ中心部に設けたタンク５の天井部で、上記中心部を頂点にし、これより末下りに傾斜する傾斜板３の上方に穴８１があけられている。また、タンク５の内部を上下に仕切る仕切り板２０ａには逆止弁８６ａが設けられている。したがって、上記タンク５に送水されて来た原水がタンク５の下部室２１ａから逆止弁８６ａを介して上部室２２ａの上方に進み、上記傾斜板３の上方にあけた穴８１より、上記傾斜板３の上面、すなわち浮遊渚に溢れ出ることができるものとする。
【００９５】
傾斜板３の上面、すなわち浮遊渚上の収斂された波が、傾斜板３の開放口３ａより、越波してタンク５の上部室２２ａに入ったとしても、逆止弁８６ａが働き下部室２１ａにまでその水が到達することはないように、逆止弁８６ａが設けられているものとする。タンク５内に設けた仕切り板２０ａには下部室２１ａと上部室２２ａを僅かに流通させるための孔８７が設けられているものとする。
【００９６】
また、タンク５の側壁にも穴８２があけられ、この穴８２に管８３の片方が通されると共に、この管がこれより、タンク５の半径方向でやや末上りに延びている。装置のほぼ中心部より左右両側末下りに傾斜する傾斜板３にあけられた穴８４に、前記延出した管８３の端部が通され固着されている。また、この端部には管の拡幅部８３′が設けられ拡幅形状になっているものとする。
前記した穴８２に通された管８３は、タンク５の内部で上部室２２ａ内に入り、そこで下方に曲げられ、仕切り板２０を通過して下部室２１ａ内に入り、その下端に逆止弁８５が設けられ、その下部を連通口９０とする。
【００９７】
タンク５の側壁に設けた穴８２と傾斜板３に設けた穴８４は、管８３に十分に固着させて、浮力室１０内への水漏れ等の事故が起こらないようになっているものとする。管８３の下端に設けた逆止弁８５は、タンク５内で下部室２１ａ内の原水が傾斜板３の上面に出る方向にのみ、原水を流せるように設定されているものとする。
つぎに、この図の作用を以下に説明する。
【００９８】
タンク５の下方に設けたノズル８より原水が送られて来て、この原水がタンク５内で下部室２１ａの内部を上方に向って上昇し、逆止弁８６ａを押し開けて上部室２２ａに入り、装置外部の水面Ｓと上部室２２ａ内の水面ＳＳがほぼ釣り合ったとする。
タンク５内の水面ＳＳと装置外部の水面Ｓがほぼ釣り合った状態においては、原水は連通口９０より逆止弁８５を押し開け管８３内に原水を充満させるか、或いは傾斜板３の上面より装置外部の水がこの管８３内に流れ込むかで、どちらにせよ管８３内はそのどちらかの水で充満する。
【００９９】
一方、傾斜板３の上面すなわち浮遊渚では、装置外部より進入した波が、収斂堤１８で収斂され波高が増幅された波が打ち寄せている。波による水粒子がほぼ楕円形に近い軌跡を描きながら寄せ波、引き波運動をし、傾斜板３の上面を行ったり来たり、吸引、圧縮作用を繰り返す。
傾斜板３に設けた穴８４部が吸引されたときには、管８３およびタンク５内で下部室２１ａ内の原水は連通口９０より逆止弁８５を開けて吸引され、傾斜板３の上面に流れ出る。
【０１００】
穴８４部に圧縮作用が生じた場合には、この水は圧縮され、前述とは逆流しようとするが、逆止弁８５が働いて管８３内の水は逆流することができない。
以上の作用により、タンク５内で上部室２２ａ内の原水の水面ＳＳと装置外部の水面Ｓがほぼ同じ程度であっても、波浪条件によっては原水を傾斜板３の上面、すなわち、浮遊渚の上面に引き出すことができる。このとき、管８３の端部に管の拡幅部８３′を設け、拡幅状態にして傾斜板３に接続した場合には、傾斜板３に設けた穴８４部が波から受ける吸引面積が大きくなることから、管８３内の原水の吸引効果が大きくなる。
【０１０１】
現実には海洋や、ダム、湖沼等で原水を取水するための動力源を必要とする場合には、自然エネルギーに頼らざるを得ない。しかし自然エネルギー（太陽光、風力、波力等）は、希薄性、散逸性であってその変動幅が大きいために、安定して大量のエネルギーを取り出すことは困難である。
したがって、原水取水のためのポンプの揚程をでき得る限り低く設定したもので、あまり取水エネルギーを必要としなくても稼働できる装置が、今後の商業化段階において重要なポイントとなる。
【０１０２】
送水条件によっては原水がタンク５内で上部室２２ａの内部を更に上昇し、タンク５内で上部室２２ａの天井部に設けた穴８１まで来ると、その後はこの穴８１から傾斜板３の上面に溢れ出る。当然のことながら、このときには前記した管８３からも水頭差の関係から逆止弁８５を押し開け、傾斜板３の上面に流れ出ているものとする。また、原水の流れが止まった場合においても、逆止弁８６ａは閉じるが、仕切り板２０ａに設けた孔８７の作用で、タンク５の下部室２１ａ内と上部室２２ａの圧力はほぼ均圧化されると同時に、僅かではあるが逆流等の原水の流通はあるものとする。
【０１０３】
当然のことながら、このときタンク５内の上部室２２ａ内の水面ＳＳが、浮遊渚上の水面Ｓよりも高所にあるならば、渚上の波の吸引作用による管８３内の水の流れは流れ易くなる。また、設計条件によっては仕切り板２０ａや逆止弁８６を撤去し、タンク５内の上部室２２ａと下部室２１ａの区別をなくすることもある。傾斜板３の上面に出た水のその後の作用の説明は、これまでに行ったものとほぼ同様であるために、その説明の繰り返しはしない。
つぎの説明は図１３により説明を行う。
【０１０４】
図１３は図１１のＦ−Ｆ矢視縦断面図であって、本発明の装置１Ｂの形式に用いた場合の装置の内部に設けた種々のポンプ駆動により、原水を取水する場合の一例を示すものである。本図の構成を以下に説明する。ただし、これまでの図の説明のところで、説明を行ったものと重複する部分の説明に関しては省略するものとする。
【０１０５】
装置のほぼ中心部に設けたタンク５の内部に仕切り板２０が設けられ、その仕切り板の下部を下部室２１、また、その上部を上部室２２とし、前記した風力、波力、太陽光発電等により送水ポンプが駆動され、その原水が前記した下部室２１から上部室２２に送られる過程の装置の構成および作用の説明は、これまでに説明を行ったものとほぼ同様であり、その説明の繰り返しはしない。
【０１０６】
つぎに、仕切り板２０の上部の上部室２２を二つの部屋に細区分し、その仕切り板を８８とする。前記仕切り板２０の上部でこの仕切り板２０と、仕切り板８８に囲まれた部屋を前記通り上部室２２とし、仕切り板８８より上部の部屋を最上部室２２′とする。
【０１０７】
仕切り板２０にはノズルが設けられ、これに盲フランジ８９と、これとは別のノズルに逆止弁８６が設けられている。タンク５の下部室２１内の原水は逆止弁８６を押し開けて上部室２２内には行けるが、その逆流は逆止弁８６の作用によりできないものとする。また、仕切り板８８には逆止弁８６′が設けられ、上部室２２内の原水は逆止弁８６′を押し開けて最上部室２２′に送られるが、その逆流は逆止弁８６′が働いてできないものとする。
【０１０８】
仕切り板８８にはタンク５の上部室２２と最上部室２２′の間を原水が僅かに流通させるための孔８７′が設けられるものとする。タンク５の下部室２１内の原水が前記した駆動装置等により、上部室２２に送られ、更に逆止弁８６′を押し開けた原水が更に上昇し、最上部室２２′の天井部、すなわち、タンク５の天井部であり、前記傾斜板３の上方にあけた穴８１より溢れ出るときのその水面をＳＳ′とする。
【０１０９】
タンク５の側壁にあけた穴８２と、傾斜板３にあけた穴８４を結ぶ管８３およびその拡幅部の説明は、これまでに説明を行ったものとほぼ同様であり、その説明の繰り返しはしない。ただしこの管８３はタンク５の内部で上部室２２内において下方に曲げられ、この部屋の中でその下端に逆止弁８５′と連通口９０′が設けられている。また、この連通口９０′の直下の仕切り板２０にはノズルが設けられ、これに盲フランジ８９がボルト等で締め付けられている。
つぎに、この図の作用を以下に説明する。
【０１１０】
前記した風力、波力、太陽光等による駆動装置が作動し、タンク５の下部室２１内の原水が上部室２２に送られ、更に逆止弁８６′を押し開けて最上部室２２′に入り、その水面がＳＳ′に達したとする。したがって、当然のことながら一方では、水の水頭差の理論により、この原水は連通口９０′より逆止弁８５′開けて管８３から傾斜板３の上面に放水されると同時に、穴８１からも傾斜板３の上面にも放水される。また、前記同様に傾斜板３の上面の波が、開放口３ａより越波してタンク５の最上部室２２′に入ったとしても、逆止弁８６′が働き上部室２２までは到達できない。
傾斜板３の上面に出た水のその後の作用の説明は、これまでに説明を行ったものとほぼ同様であるために、その説明の繰り返しはしない。
つぎに、図１４、図１５により説明を行う。
【０１１１】
図１４、図１５に示す本発明の装置１Ｃはこれまでに説明したものとは水の流れを反対に使用し、本装置で得られた圧力水を本装置に接続したフレキシブルホース等を介して装置外部に送水することにより、本装置から送られる新鮮な水と、閉鎖性水域等の貧酸素化した滞留水との水の循環、交換、或いは上層水を底層水中に押し入れて上下の水の置換等を行うことにより、上層水中に含まれる酸素を底層水に供給する、全く新しい別形式のものである。
【０１１２】
図１４は本発明の装置１Ｃの縦断面図であり、図１５は図１４のＧ−Ｇ矢視平面図である。
本図の構成を以下に説明するが、これまでに既に説明を行いこれと重複する部分の説明に関しては、その説明を省略するものとする。
これまでの説明では、フレキシブルホース９等より送られて来る水を「原水」と表示してきたが、以後の説明においては、原水以外の水も流れることがあるために「水」の表示で説明を行うものとする。
【０１１３】
装置のほぼ中心部で水面Ｓのやや上方を頂点とし、これより半径方向左右両側に延び、末下りに傾斜した傾斜板３の頂点部に開放口３ａを設け、その下方にタンク５が設けられている。タンク５はタンク５を上下に仕切る仕切り板２０を堺とし、これより下部を下部室２１、上部を上部室２２とする。
【０１１４】
水面Ｓ上の波が本装置内に進入し、傾斜板３の上面、すなわち浮遊渚を昇って来た波は越波現象により、前記した傾斜板３の頂点近くの開放口３ａより、タンク５の上部室２２に進入することができると同時に、この水が上部室２２を満水状態にしたものとする。また、このとき傾斜板３の開放口３ａの高さは水面Ｓよりある程度高く設定されているものとする。
【０１１５】
つぎに、波力ポンプ２３の配管系においては、管の一方は前記した波力ポンプ２３の中空ピストン管２７に接続し、他の一方は前記したタンク５の下部室２１に接続した管２８に、タンク５の下部室２１から波力ポンプ２３への片方向にのみ水を流すようにした逆止弁２９と、管２８から分岐し、且つ、波力ポンプ２３から押し出された水が、前記タンク５の上部室２２に送られるように逆止弁２９の手前に接続した管３０に、この水が常にその一定方向にのみ流れるようにした逆止弁３１が、図のように接続されている。
【０１１６】
このとき、タンク５の下部室２１と上部室２２に接続される管２８と管３０には、そのタンク５の近くで管２８には弁５７ａが、管３０には弁５７ｂがそれぞれ設けられている。
管２８に接続し、弁５７ａの下流側（逆止弁２９側）から管５８ａが分岐し、途中に弁５７ｃを介して、その端部は管３０に設けた弁５７ｂの下流側（タンク５の上部室２２側）に接続されている。
一方、管３０に設けた弁５７ｂの上流側（逆止弁３１側）から分岐した管５８ｂは、弁５７ｄを介して、その端部は管２８に設けた弁５７ａの上流側（タンク５の下部室２１側）に接続されている。
【０１１７】
したがって、弁５７ａと弁５７ｂを開き、弁５７ｃと弁５７ｄが閉じているときには、波力ポンプ２３が作動すると、タンク５の下部室２１内の水が上部室２２に送ることができるもので、これはこれまでの説明のときと変わりはない。
つぎに、弁５７ａと弁５７ｂを閉じ、弁５７ｃと弁５７ｄを開けているときには、波力ポンプ２３が作動すると、前回とは反対にタンク５の上部室２２内の水が下部室２１内に送ることができるものとする。
【０１１８】
つぎに、詳述は後記するが、タンク５内の上部室２２と、下部室２１に設けたポンプ１０２ａの駆動軸４０ａは、このポンプより上方に延び、風車の取付け台３５の中でクラッチ５９ａを介して前記したものとほぼ同様のプーリー４１ａが設けられている。
前記したものとほぼ同様のプーリー４１ａと、プーリー３６、Ｖベルト４２等の関係は、図３の説明の部分で説明を行ったものとほぼ同じであり、その説明の繰り返しはしない。
【０１１９】
そして、駆動軸４０ａにクラッチ５９ａが設けられることにより、クラッチ５９ａの切り換えで駆動軸４０ａは正転、反転どちらの回転方向にも回転することができるものとする。
すなわち、この駆動軸４０ａにより駆動されるポンプ１０２ａも当然のことながら正転、反転どちらの回転方向にも回転することができるものとする。
【０１２０】
つぎに、詳述は後記するが、これと同様にタンク５内の上部室２２と、下部室２１に設けたポンプ１０２ｂの駆動軸４９ａの上方にも、クラッチ５９ｂが設けられ、その上部にポンプ１０２ｂの駆動モーター５０ａが接続されるものとする。クラッチ５９ｂを設けることによる本発明の装置１Ｃにおける機構の構成の説明は、前記したクラッチ５９ａのときの説明とほぼ同様であり、その説明の繰り返しはしない。
つぎに、この図の作用を以下に説明する。
【０１２１】
水面Ｓ上に波が発生し、この波が本発明の装置１Ｃの中に進入してきたとする。収斂堤１８で仕切られた傾斜板３の上面、すなわち浮遊渚にこの波が入ると、この波は装置の中心部に向って進むにつれて収斂堤１８で収斂され、波高が大きくなって傾斜板３、すなわち浮遊渚をかけ上がり、そして最後に越波した形で傾斜板３に設けた開放口３ａよりその水がタンク５の上部室２２に入る。
【０１２２】
このとき前記したとおり、傾斜板３の上面に設けた開放口３ａの上端は、水面Ｓよりもある程度高く設定されていることから、タンク５の上部室２２内の水には水面Ｓに比べ水頭差が生じている。したがって、この越波現象だけを考慮しても、ポンプ装置としての機能は十分に備えられ、閉鎖性水域等に滞留する貧酸素水等との、水の循環、交換等も行えるものとする。
【０１２３】
つぎに、波力ポンプ２３の配管系で弁５７ａと弁５７ｂを閉じ、弁５７ｃと弁５７ｄを開いて波力ポンプ２３を運転した場合には、前記したとおりタンク５の上部室２２内の水は下部室２１内に送られる。
このとき、上部室２２内の水には前記説明したとおり、水面Ｓよりもある程度の水頭差が生じていることから、この水頭差は負荷抵抗等を減少させる結果となるために、波力ポンプ２３の差動や送水量等の面で有利な展開となる。
【０１２４】
つぎに、風車３３の回転が駆動軸３４からプーリー３６、Ｖベルト４２、プーリー４１ａ等に伝えられ、クラッチ５９ａの切り換えにより、駆動軸４０ａが回転し、ポンプ１０２ａが作動し、タンク５の上部室２２内の水が、下部室２１内に送られるときにも、前記説明したとおり、上部室２２内の水には水面Ｓよりもある程度の水頭差が生じていることから、風車３３ならびにポンプ１０２ａの回転や送水量等の面でも、負荷抵抗等を減少させる結果となることから更に有利となる。
【０１２５】
つぎに、ソーラーパネル５２により発生した電力で、駆動モーター５０ａを回転させて、クラッチ５９ｂを介してポンプ１０２ｂを作動させて、タンク５の上部室２２内の水を下部室２１内に送るときにも、前記した風車３３の説明の場合とほぼ同様であり、その説明の繰り返しはしない。
【０１２６】
タンク５の上部室２２から下部室２１に強制的に送られた水は、下部室２１の下端に設けられたノズル８ならびにフレキシブルホース９等を介して、送水目的の場所まで送られる。
このとき、波力ポンプ２３や、風車３３、ソーラーパネル５２等の動力源に頼らず、浮遊渚の越波現象による水頭差のみで送水する場合には、仕切り板２０に大きな穴をあけるか、或いはこの仕切り板２０を撤去するか、またはタンク５の上部室２２から下部室２１の方向にのみ流れることのできる逆止弁等を設けてもよい。
つぎの説明は図１６、図１７、図１８により行う。
【０１２７】
図１６は図１５における装置１Ｃのほぼ中心部の拡大平面図である。図１７は図１４の本発明の装置１Ｃにおける装置のほぼ中心部の拡大縦断面図であり、また、図１６のＨ−Ｈ矢視縦断面図である。図１８は図１７のＩ−Ｉ矢視平面図である。この図の構成を以下に説明する。ただし、これまでに既に説明を行い、これと重複する部分の説明に関しては、その説明を省略するものとする。
【０１２８】
図１７において、波力ポンプ２３より水が出入りする管２８と管３０に関しては、タンク５の下部室２１に管２８が、上部室２２に管３０がそれぞれ接続されている。このそれぞれの管に弁５７ａ、５７ｂ、５７ｃ、５７ｄと管５８ａ、５８ｂが図のように接続されている。これらそれぞれの管の接続と弁の切り換え手順、操作等の詳細な説明は前記したのでその説明の繰り返しはしない。
【０１２９】
タンク５の上部室２２より仕切り板２０に穴１０１ａをあけ、この穴１０１ａにポンプ１０２ａが挿入され、その下方にフィルター１０３ａが設けられている。ポンプ１０２ａの駆動軸４０ａがクラッチ等の操作により正転、反転を行った場合には、当然のことながらポンプ１０２ａは正転、反転を行い、フィルター１０３ａはサクションストレーナーにもなり、或いはポンプ吐出口での保護網の役目を果すとができるものとする。
【０１３０】
ポンプ１０２ａとフィルター１０３ａはボルト等で一体化され、仕切り板２０やタンク５の下部室２１の底板等にしっかりと固着されるものとする。ポンプ１０２ａの上部では、駆動軸４０ａが上方に延び、前記したクラッチ５９ａ、プーリー４１ａ、Ｖベルト４２、プーリー３６、駆動軸３４等を介して風車３３に連結されている。
【０１３１】
図１８におけるタンク５の上部室２２において、ポンプ１０２ａの上部ノズル１０４ａには分岐管１０５ａが設けられ、その片方には逆止弁１０６ａが設けられている。逆止弁１０６ａはポンプ１０２ａから水が吐出する方向にのみ弁が開き、その逆流はできないものとする。
分岐管１０５ａの前記片方に対する他の片方には逆止弁１０７ａ、フィルター１０８ａが図のように設けられている。逆止弁１０７ａはポンプ１０２ａに水が吸い込む方向のみに開き、その逆流はできないものとする。
【０１３２】
つぎに、図１７において前記同様にタンク５の上部室２２より仕切り板２０に穴１０１ｂをあけ、この穴１０１ｂにポンプ１０２ｂが挿入され、その下方にフィルター１０３ｂが設けられている。ポンプ１０２ｂの駆動軸４９ａがクラッチ等の操作により正転、反転を行った場合には、前回同様にポンプ１０２ｂは正転、反転を行い、フィルター１０３ｂはサクションストレーナーにもなり、或いはポンプ吐出口での保護網の役目を果すことができるものとする。
【０１３３】
ポンプ１０２ｂとフィルター１０３ｂはボルト等で一体化され、仕切り板２０やタンク５の下部室２１の底板等にしっかりと固着されるものとする。ポンプ１０２ｂの上部では駆動軸４９ａが上方に延び、前記したクラッチ５９ｂを介して駆動モーター５０ａに連結されている。
以後の説明は１０４ａが１０４ｂに、１０５ａが１０５ｂに、１０６ａが１０６ｂに、１０７ａが１０７ｂに、１０８ａが１０８ｂに変わるだけであるために、その説明の繰り返しはしない。
つぎに、この図の作用を以下に説明する。
【０１３４】
駆動軸４０ａと駆動軸４９ａにおける正転、反転の回転方向においては、どちらの回転方向を正転とし、その反対方向を反転とするかの特別な規定は設けていないために、例えば、右回転をしてポンプ１０２ａ、１０２ｂが作動し、タンク５の下部室２１内の水が上部室２２に送られるような回転を正転と仮定する。
【０１３５】
本装置の動力源となる風車３３の回転や、ソーラーパネル５２等に電力が発生し、クラッチ５９ａ、５９ｂ等の操作で駆動軸４０ａと駆動軸４９ａは正転し、タンク５の下部室２１内の水は、上部室２２内に強制的に送られるとする。このとき、フィルター１０３ａ、１０３ｂはサクションストレーナーの役目を果し、異物やゴミ等がポンプ１０２ａ、１０２ｂ内に入るのを防止する。
【０１３６】
つぎに、図１８におけるタンク５の上部室２２内では、ポンプ１０２ａ、１０２ｂの上部ノズル１０４ａ、１０４ｂではポンプから水が吐出する方向に流れる。このとき、分岐管１０５ａ、１０５ｂ等で水の流れは分けられるが、実際には逆止弁１０６ａ、１０６ｂは開く方向に働き、逆止弁１０７ａ、１０７ｂは閉じる方向に働くために、ポンプの吐出水は逆止弁１０６ａ、１０６ｂの方向に流れる。このとき、逆止弁１０６ａ、１０６ｂから流れ出た水は、タンク５の上部室２２内で吐出しているだけであるために、上部室２２内の水面は上昇し、やがて傾斜板３の開放口３ａ等より放水される。
【０１３７】
つぎに、クラッチ５９ａ、５９ｂを操作して駆動軸４０ａと駆動軸４９ａは左回転、すなわち反転したとする。このときには、当然のことながらポンプ１０２ａ，１０２ｂは反転し、タンク５の上部室２２内の水は下部室２１内に送られる。したがって、上部室２２内の水はフィルター１０８ａ、１０８ｂより吸い込まれ、逆止弁１０７ａ、１０７ｂを開けて分岐管１０５ａ、１０５ｂよりポンプの上部ノズル１０４ａ、１０４ｂを通り、ポンプ１０２ａ、１０２ｂに吸い込まれる。このとき、逆止弁１０６ａ、１０６ｂは閉じたままである。
【０１３８】
上記ポンプに吸い込まれた水は図１７においてポンプ１０２ａ、１０２ｂを下方に進み、フィルター１０３ａ、１０３ｂよりタンク５の下部室２１内に吐出する。吐出された水は下部室２１に設けられたノズル８よりフレキシブルホース９等を介して目的地まで送水することにより、閉鎖性水域等の貧酸素化した滞留水等と、本装置から送られてくる新鮮な水の循環、交換を行うことができる。
つぎの説明は図１９により行う。
【０１３９】
図１９は図１２、図１３に示すものとは別形式で、本発明の装置１Ｃにおける装置に用いた場合のほぼ中心部の拡大縦断面図である。この図の構成を以下に説明する。ただし、これまでの図の説明のところで、説明を行ったものと重複する部分の説明に関しては省略するものとする。
【０１４０】
装置のほぼ中心部に設けたタンク５の内部に仕切り板２０が設けられ、その仕切り板の下部を下部室２１、また、その上部を上部室２２とし、風力、波力、太陽光発電等によりその各々の送水ポンプが駆動されると同時に、浮遊渚上面の水が越波現象等により、傾斜板３の開放口３ａを介して、その上部室２２から下部室２１に送られる過程の装置の構成およびその作用の説明は、これまでに説明を行ったものとほぼ同じであるためにその説明の繰り返しはしない。
【０１４１】
つぎに、図１３の説明では、仕切り板２０の上部の上部室２２を細区分するために、仕切り板８８を設けて逆止弁８６′を設けたが、この逆止弁８６′を取り除く。つぎに、仕切り板２０に設けた逆止弁８６を前回とは反対方向に向けて、上部室２２内の水は、下部室２１内には行けるがその逆流はできないように設定し、その逆止弁を８６ｂとする。
【０１４２】
また、傾斜板３にあけた穴８４とタンク５の側壁にあけた穴８２を結ぶ管８３が、タンク５の内部、すなわち上部室２２に入って逆止弁８５ｂが設けられている。図１３の説明では、タンク５の上部室２２内の水が傾斜板３の上面に出る方向に流れるように逆止弁８５′を設定されていたが、この図ではその逆止弁を反対に向けて傾斜板３の上面からタンク５の上部室２２内へ、或いは傾斜板３の上面から下部室２１へ直接流れるように、仕切り板２０に設けたノズルに取り付けられた盲フランジ８９等を撤去し、ジョイント９１等を新たに挿入して接続されている。
つぎに、この図の作用を以下に説明する。
【０１４３】
水面Ｓ上に波が発生し、その波が本発明の装置に進入し、この波が収斂堤１８で収斂された傾斜板３、すなわち浮遊渚の上面をかけ上がり、その越波した波が傾斜板３の開放口３ａよりタンク５の最上部室２２′内に入る。このとき、前回の説明のときに設けた逆止弁８６′は、今回においてはとりはずされているために、この水はすぐに上部室２２内に進むことができる。ここで、水域全体の水面Ｓ（送水しようとする閉鎖性水域等の水面も同じであるから）と越波して進入したタンク５の上部室２２、或いは最上部室２２′内の水面Ｓｅとでは前記説明を行ったとおり水頭差が生じていることから、この水は逆止弁８６ｂを押し開け下部室２１内に入る。下部室２１内に入ったこの水は、フレキシブルホース９等を介して装置外部の閉鎖性水域等の目的地まで送水され、水の循環、交換、ならびに置換等が行われる。
【０１４４】
つぎに、傾斜板３、すなわち浮遊渚の上面では、本装置に進入し、収斂され、波高の大きくなった波が打ち寄せられている。すなわち、波が打ち上げられて来る寄せ波のときには、その水で管８３内の水は圧縮され浮遊渚から管８３を通り、タンク５の上部室２２、或いは下部室２１へ逆止弁８５ｂを開けて押し入る。このとき、タンク５の上部室２２内の水面Ｓｅをやや押し上げる方向に働くか、或いはフレキシブルホース９内へ押し込む方向に働くかは、その都度の設計条件や波浪条件によるものとする。また、それとは反対に引き波のときには、管８３内の水は波の吸引力等により浮遊渚上面に引き出されようとするが、逆止弁８５ｂが働いて流れ出ることができない。
【０１４５】
すなわち、このケースにおいても、浮遊渚上面の水はタンク５の上部室２２、或いは下部室２１に入りフレキシブルホース９等を介して装置外部へ送水することができる。
【０１４６】
無限に繰り返される波打ち現象を越波による方法と、寄せ波、引き波による現象を最大限に取り入れるには、前記した風力、波力、太陽光発電等による動力源も併設し、タンク５の上部室２２内の水をいち早く強制的に下部室２１内に送り、上部室２２内の水面Ｓｅをでき得る限り低くすることにより、その負荷抵抗が減少することから、これらを取り入れやすくなる。したがって上記の行程によりその水は、フレキシブルホース９等を介して送水目的の閉鎖性水域等の湾奥部等に送られ、本装置から送られてくる新鮮な水と湾奥部等に滞留する貧酸素化した滞留水の水の循環、交換が行えることとなる。
【０１４７】
【発明の効果】
以上要するに本発明によれば、つぎのような優れた効果を奏する。
【０１４８】
（１）請求項１に記載の発明によれば、送水されて来る原水を波のエネルギーを有効に利用して上層水との循環、拡散、混合させることができることから、海洋やダム、湖沼等における貧酸素水の改善、水質浄化、植物プランクトンの増殖、ならびに魚貝類や海藻類等生物生産の増大、大気中の二酸化炭素等の吸収効果が大となる。
【０１４９】
（２）請求項２に記載の発明によれば、装置のほぼ中心部に設けたタンクの外周で傾斜板３の下方に浮体を設け、バラスト水を出し入れすることにより、装置全体の浮沈を比較的簡単に調整することができる。
【０１５０】
（３）請求項３に記載の発明によれば、収斂堤の内部を浮力室にすることにより、装置全体の浮体装置としての浮力効果の増大と、装置の安定性の効果を大にすることができる。
【０１５１】
（４）請求項４に記載の発明によれば、装置の外周部に溝を設けることにより、装置内に処理水の滞留時間が延長されることから、処理時間が延長され、上層水中における原水の拡散、混合効果が大となるばかりでなく、水の循環効果や装置の安定性が計れる。
【０１５２】
（５）請求項５に記載の発明によれば、装置のほぼ中心部に設けたタンクを上下に区切り、その下部室内の水を上部室内に送水し、更にその上方の放水口より放水すると、装置外部より原水の送水動力が得られない場合でも、本装置内に設けた波力ポンプや、風力、太陽光発電等の動力源等を有効に利用して装置を運転することができる。
【０１５３】
（６）請求項６に記載の発明によれば、収斂堤のほぼ延長線上に波力ポンプを設けることにより、このポンプが収斂堤で区切られた各々の傾斜板の上面、すなわち各々の浮遊渚に波が進入するときの案内役を務めることができると同時に、水を送ることができるために、装置全体の性能面での効果を上昇させることができる。
【０１５４】
（７）請求項７に記載の発明によれば、装置全体が傾いた場合でも放水装置に自在継手を設けることにより、放水口の上面はほぼ水平に、且つ、放水装置はほぼ鉛直に設けられるために、本発明の装置全体の平面上におけるどの方向にも、原水を公平に配水することができる。
【０１５５】
（８）請求項８に記載の発明によれば、装置全体が傾いた場合でも、放水装置に吊り装置を設けることにより、放水口の上面はほぼ水平に、且つ、放水装置はほぼ鉛直に設けられるために、本発明の装置全体の平面上におけるどの方向にも、原水を公平に配水することができる。
【０１５６】
（９）請求項９に記載の発明によれば、放水口に仕切り板状の整流板を設けることにより、本発明の装置全体の平面上におけるどの方向にも、原水を公平に区分けし、配水することができる。
【０１５７】
（１０）請求項１０に記載の発明によれば、タンク５内で上部室内の天井部である傾斜板３に穴をあけることにより、原水取水のためのポンプ揚程を低く設定することができるために、性能面での送水効果が大きくなる。
【０１５８】
（１１）請求項１１に記載の発明によれば、傾斜板の途中に穴をあけ管等を用いて原水の放水口を水面Ｓよりやや下方に設けることにより、波の水粒子の運動による吸引、圧縮作用（寄せ波、引き波作用）における吸引作用の有効利用と、放水口を低くしたことで、原水取水のためのポンプ揚程を、更に低くすることができるために、取水効果が更に大きくなる。
【０１５９】
（１２）請求項１２に記載の発明によれば、管８３の端部で傾斜板３の接続部を拡幅状態にすることにより、傾斜板３に設けた穴８４を大きくすることができ、そのために波の接触面積が大きくなることから、波から受ける吸引作用の面積が大となり、取水効果が大きくなる。
【０１６０】
（１３）請求項１３記載の発明によれば、傾斜板の頂点近くの中心部に開放口を設けることにより、浮遊渚を上昇して来た波が、上記開放口より越波してタンク内に入り、外部の水面よりも水頭差を高くすることができるために、この機能だけででも、ポンプ装置としての役目を十分に果すことができる。
【０１６１】
（１４）請求項１４記載の発明によれば、傾斜板の途中に穴をあけ、装置のほぼ中心部に設けたタンクと管等で結び、これに逆止弁を取り付けて、傾斜板上面の水を圧入してタンク方向にのみ流すことにより、寄せ波時の水圧で浮遊渚上の水をタンク内に押し込むことができるために、この機能だけででも、ポンプ装置としての役目を十分に果すことができる。
【０１６２】
（１５）請求項１５記載の発明によれば、装置のほぼ中心部に設けたタンクを上下に仕切り、波力ポンプや、風力、太陽光発電等の動力源を用いて、タンクの上部室内の水を下部室内に強制的に送水することにより、ポンプの送水効果を尚一層大きくするものである。
【図面の簡単な説明】
【図１】本発明の好適実施の形態を示す装置１Ａの縦断面図である。
【図２】図１におけるＡ−Ａ矢視平面図である。
【図３】本発明の好適実施の形態を示す装置１Ｂの縦断面図である。
【図４】図３におけるＢ−Ｂ矢視平面図である。
【図５】図２および図４におけるＣ−Ｃ矢視縦断面図である。
【図６】本発明の好適実施の形態を示す装置１Ｂ（図４）における装置の中心部付近の拡大図である。
【図７】本発明の好適実施の形態を示す装置１Ｂ（図３）における装置の中心部付近の拡大図であって、且つ、図６におけるＤ−Ｄ矢視縦断面図である。
【図８】図２、図４、図６における装置のほぼ中心部に記載したタンク５の上部に設けたノズル６の付近における拡大平面図である。
【図９】図８におけるＥ−Ｅ矢視縦断面図である。
【図１０】図８におけるＥ−Ｅ矢視縦断面図であって、吊り装置を用いた放水装置６２Ｂの縦断面図である。
【図１１】本発明の装置の放水口を傾斜板３に設けた場合の、本発明の装置１Ａ或いは１Ｂにおける装置の一例を示す部分拡大平面図である。
【図１２】図１１におけるＦ−Ｆ矢視縦断面図であって、本発明の装置１Ａにおける装置の外部に設けたポンプ駆動により、原水が送られてくる場合、或いは波の吸引作用により原水が吸い出される場合の一例を示す部分拡大縦断面図である。
【図１３】図１１におけるＦ−Ｆ矢視縦断面図であって、図１２の場合とは別形式の、本発明の装置１Ｂにおける装置の内部に設けた種々のポンプ駆動により、原水を取水する場合、或いは波の吸引作用により原水が吸い出される場合の一例を示す部分拡大縦断面図である。
【図１４】本発明の好適実施の形態を示す装置１Ｃの縦断面図である。
【図１５】図１４のＧ−Ｇ矢視平面図である。
【図１６】図１５における装置中心部の拡大平面図である。
【図１７】図１４の装置中心部の拡大縦断面図であって、また図１６のＨ−Ｈ矢視縦断面図である。
【図１８】図１７のＩ−Ｉ矢視平面図である。
【図１９】図１２、図１３に示すものとは別形式で、本発明の装置１Ｃの装置における中心部の一例を示す縦断面図である。
【図２０】本発明とは別形式の水循環装置における海水等の汲上装置の縦断面図である。
【符号の説明】
１Ａ  本発明の装置                １Ｂ  本発明の装置
１Ｃ  本発明の装置
１    装置本体                    ２    係留装置
３    傾斜板（浮遊渚）            ３ａ  開放口
４    溝                          ５    タンク
６    ノズル                      ６ａ  フランジ部
７    蓋板                        ７ａ  開口穴
７ｂ  放水口                      ８    ノズル
９    フレキシブルホース          １０  浮力室
１１  壁                          １２、１３  側壁
１４  底板                        １５  手摺りポスト
１６  バランス浮体                １７  取付台
１８  収斂堤                      １９  浮力室
２０、２０ａ  仕切り板            ２１、２１ａ  下部室
２２、２２ａ  上部室              ２２′  最上部室
２３  波力ポンプ                  ２４  フロート
２５  シリンダ                    ２６  ピストン
２７  中空ピストン管              ２８  管
２９  逆止弁                      ３０  管
３１  逆止弁                      ３２  架台
３３  風車                        ３４  駆動軸
３５  取付け台                    ３６  プーリー
３７  ポンプ                      ３８  逆止弁
３９  サクションストレーナー      ４０、４０ａ  駆動軸
４１、４１ａ  プーリー            ４２  Ｖベルト
４３、４３ａ  保護管              ４４  穴
４５  ポンプ                      ４６  吸込管
４７  逆止弁                      ４８  サクションストレーナー
４９、４９ａ  駆動軸              ５０、５０ａ  駆動モーター
５１、５１ａ  保護管              ５２  ソーラーパネル
５３  ケーブル                    ５４ａ、５４ｂ  収斂堤の側壁
５５  天板                        ５６  底板
５７ａ、５７ｂ、５７ｃ、５７ｄ弁
５８ａ、５８ｂ  管                ５９ａ、５９ｂ  クラッチ
６１  自在継手                    ６２Ａ、６２Ｂ  放水装置
６３  リング体                    ６４  外軸
６５  内軸                        ６６  軸受穴
６７  サドル                      ６８  軸受穴
６９  仕切り板                    ７０  リング
７１  フレキシブルカバー          ７２  軸
７３  おもり                      ７４  吊り装置
７５  ビーム                      ８１、８２  穴
８３  管                          ８３′  管の拡幅部
８４  穴
８５、８５′、８５ｂ、８６、８６′、８６ａ、８６ｂ  逆止弁
８７、８７′  孔                  ８８  仕切り板
８９  盲フランジ                  ９０、９０′  連通口
９１  ジョイント
１０１ａ、１０１ｂ  穴            １０２ａ、１０２ｂ  ポンプ
１０３ａ、１０３ｂ  フィルター
１０４ａ、１０４ｂ  ノズル        １０５ａ、１０５ｂ  分岐管
１０６ａ、１０６ｂ、１０７ａ、１０７ｂ  逆止弁
１０８ａ、１０８ｂ  フィルター
１１１  海水等の汲上装置          １１２  汲上管
１１３  浮体
１１４、１１５、１１６、１１７  逆止弁
１１８、１１９  排出管
Ｓ    水面                        ＳＳ  上部室２２内の水面
ＳＳ′  最上部室２２′内の水面    Ｓｅ  水面
ＳＧ  水底
【図１】
0004529103.tif 000002
【図２】
0004529103.tif 000003
【図３】
0004529103.tif 000004
【図４】
0004529103.tif 000005
【図５】
0004529103.tif 000006
【図６】
0004529103.tif 000007
【図７】
0004529103.tif 000008
【図８】
0004529103.tif 000009
【図９】
0004529103.tif 000010
【図１０】
0004529103.tif 000011
【図１１】
0004529103.tif 000012
【図１２】
0004529103.tif 000013
【図１３】
0004529103.tif 000014
【図１４】
0004529103.tif 000015
【図１５】
0004529103.tif 000016
【図１６】
0004529103.tif 000017
【図１７】
0004529103.tif 000018
【図１８】
0004529103.tif 000019
【図１９】
0004529103.tif 000020
【図２０】
0004529103.tif 000021